【手続補正書】
【提出日】平成29年3月3日(2017.3.3)
【手続補正１】
【補正対象書類名】明細書
【補正対象項目名】０２３２
【補正方法】変更
【補正の内容】
【０２３２】
よって、本発明は、とりわけ、吸収性発泡体複合材を作製する方法および、それから生産される吸収性発泡体複合材を提供する。本発明の種々の特徴および利点は、添付の請求項に定める。
本開示は以下も包含する。
［１］  吸収性発泡体複合材を作製する方法であって、
第１の面および前記第１の面に向かい合う第２の面を有する吸収性発泡体層を、第１の面および前記第１の面に向かい合う第２の面を有するバリア層にキャスティングし、吸収性発泡体層の前記第２の面がバリア層の前記第１の面と接触するステップと、
キャスティングステップの実行前、実行中、または実行後に第２の吸収層をバリア層の第２の面に接合させるステップと、
キャスティングステップの実行後に、吸収性発泡体層と第２の吸収層とが流体連通されるようにバリア層を破るステップと、を含む、方法。
［２］  前記吸収性発泡体層がポリウレタン発泡体を含む、上記態様１に記載の方法。
［３］  前記第２の吸収層がセルロース繊維組織の２つの層に挟まれた超吸収性ポリマーを含む、上記態様１に記載の方法。
［４］  前記第２の吸収層が、内部に超吸収性ポリマーが分散された、あらかじめ形成された繊維ウェブを含む、上記態様１に記載の方法。
［５］  前記バリア層が、フィルム、コーティングされた不織布材料、およびコーティングされた紙のうち、少なくとも１つを含む、上記態様１に記載の方法。
［６］  前記バリア層がポリエステルフィルムを含む、上記態様１に記載の方法。
［７］  前記バリア層が、ポリプロピレン、ポリエチレン、およびそれらのコポリマーのうち少なくとも１つを含むフィルムである、上記態様１に記載の方法。
［８］  前記バリア層がピン穿孔によって破られる、上記態様１に記載の方法。
［９］  前記バリア層がスキップスリッティングによって破られる、上記態様１に記載の方法。
［１０］  吸収性発泡体複合材を作製する方法であって、
第１の面および前記第１の面に向かい合う第２の面を有するバリア層、前記バリア層の前記第１の面に接合された吸収性発泡体層、および前記バリア層の前記第２の面に接合された第２の吸収層を含む中間複合材を得るステップと、
前記吸収性発泡体層と第２の吸収層とが流体連通されるように前記バリア層を破るステップと、を含む、方法。
［１１］  吸収性発泡体複合材であって、
第１の面および前記第１の面に向かい合う第２の面を有するバリア層と、
前記バリア層の前記第１の面に接合された吸収性発泡体層と、
前記バリア層の前記第２の面に接合された第２の吸収層と、
を含み、前記吸収性発泡体層と第２の吸収層とが流体連通されるように前記バリア層が破られている、吸収性発泡体複合材。
［１２］  前記吸収性発泡体層がポリウレタン発泡体を含む、上記態様１１に記載の複合材。
［１３］  前記バリア層が、フィルム、コーティングされた不織布材料、およびコーティングされた紙のうち、少なくとも１つを含む、上記態様１１に記載の複合材。
［１４］  上記態様１１に記載の吸収性発泡体複合材を含む、使い捨て吸収性物品。
［１５］  吸収性発泡体複合材を作製する方法であって、
第１の面および前記第１の面に向かい合う第２の面を有する吸収性発泡体層を、第１の面および前記第１の面に向かい合う第２の面を有するバリア層にキャスティングし、前記吸収性発泡体層の前記第２の面が前記バリア層の前記第１の面と接触するステップと、
前記キャスティングステップの実行前、実行中、または実行後に第２の吸収層を前記バリア層の前記第２の面に接合させるステップと、
前記キャスティングステップの実行中に第２のバリア層を前記吸収性発泡体層の前記第１の面に追加し、前記第２のバリア層が第１の面および前記第１の面に向かい合う第２の面を有し、前記第２のバリア層の前記第２の面が前記吸収性発泡体層の前記第１の面に接触するステップと、
前記キャスティングステップの実行前、実行中、または実行後に第３の吸収層を前記第２のバリア層の前記第１の面に接合させるステップと、
前記吸収性発泡体層と前記第２および第３の吸収層のそれぞれとが流体接触されるように前記２つのバリア層を破るステップと、
前記発泡体層を剥いで２枚の吸収性発泡体複合材を作製するステップと、を含む、方法。
［１６］  前記吸収性発泡体層がポリウレタン発泡体を含む、上記態様１５に記載の方法。
［１７］  吸収性発泡体複合材を作製する方法であって、
第１の面および前記第１の面に向かい合う第２の面を有する吸収性発泡体層、
第１の面および前記第１の面に向かい合う第２の面を有し、前記第１の面が前記吸収性発泡体層の前記第２の面に接合されたバリア層、
前記バリア層の前記第２の面に接合された第２の吸収層、
前記吸収性発泡体層の前記第１の面に接合された第２のバリア層であって、第１の面および前記第１の面に向かい合う第２の面を有し、前記第２のバリア層の前記第２の面が前記吸収性発泡体層の前記第１の面と接触する第２のバリア層、および、
前記第２のバリア層の前記第１の面に接合された第３の吸収層、
を含み、前記発泡体層と前記第２および第３の吸水層のそれぞれとが流体接触されるように、前記２つのバリア層が破られている、中間複合材を得るステップと、
前記吸収性発泡体層を剥いで２枚の吸収性発泡体複合材を作製するステップと、を含む、方法。
［１８］  吸収性発泡体複合材を作製するための中間体であって、
第１の面および前記第１の面に向かい合う第２の面を有する吸収性発泡体層と、
第１の面および前記第１の面に向かい合う第２の面を有し、前記第１の面が前記吸収性発泡体層の前記第２の面に接合されたバリア層と、
前記バリア層の前記第２の面に接合された第２の吸収層と、
前記吸収性発泡体層の前記第１の面に接合された第２のバリア層であって、第１の面および前記第１の面に向かい合う第２の面を有し、前記第２のバリア層の前記第２の面が前記吸収性発泡体層の前記第１の面と接触する第２のバリア層と、
前記第２のバリア層の前記第１の面に接合された第３の吸収層と、を含む、中間体。
［１９］  前記吸収性発泡体層がポリウレタン発泡体を含む、上記態様１８に記載の方法。
［２０］  前記バリア層がそれぞれ、フィルム、コーティングされた不織布材料、およびコーティングされた紙のうち、少なくとも１つを含む、上記態様１８に記載の方法。
【手続補正２】
【補正対象書類名】特許請求の範囲
【補正対象項目名】全文
【補正方法】変更
【補正の内容】
【特許請求の範囲】
【請求項１】
吸収性発泡体複合材を作製する方法であって、
第１の面および前記第１の面に向かい合う第２の面を有する吸収性発泡体層を、第１の面および前記第１の面に向かい合う第２の面を有するバリア層にキャスティングし、吸収性発泡体層の前記第２の面がバリア層の前記第１の面と接触するステップと、
キャスティングステップの実行前、実行中、または実行後に第２の吸収層をバリア層の第２の面に接合させるステップと、
キャスティングステップの実行後に、吸収性発泡体層と第２の吸収層とが流体連通されるようにバリア層を破るステップと、を含む、方法。
【請求項２】
吸収性発泡体複合材を作製する方法であって、
第１の面および前記第１の面に向かい合う第２の面を有するバリア層、前記バリア層の前記第１の面に接合された吸収性発泡体層、および前記バリア層の前記第２の面に接合された第２の吸収層を含む中間複合材を得るステップと、
前記吸収性発泡体層と第２の吸収層とが流体連通されるように前記バリア層を破るステップと、を含む、方法。
【請求項３】
吸収性発泡体複合材であって、
第１の面および前記第１の面に向かい合う第２の面を有するバリア層と、
前記バリア層の前記第１の面に接合された吸収性発泡体層と、
前記バリア層の前記第２の面に接合された第２の吸収層と、
を含み、前記吸収性発泡体層と第２の吸収層とが流体連通されるように前記バリア層が破られている、吸収性発泡体複合材。
【請求項４】
吸収性発泡体複合材を作製する方法であって、
第１の面および前記第１の面に向かい合う第２の面を有する吸収性発泡体層を、第１の面および前記第１の面に向かい合う第２の面を有するバリア層にキャスティングし、前記吸収性発泡体層の前記第２の面が前記バリア層の前記第１の面と接触するステップと、
前記キャスティングステップの実行前、実行中、または実行後に第２の吸収層を前記バリア層の前記第２の面に接合させるステップと、
前記キャスティングステップの実行中に第２のバリア層を前記吸収性発泡体層の前記第１の面に追加し、前記第２のバリア層が第１の面および前記第１の面に向かい合う第２の面を有し、前記第２のバリア層の前記第２の面が前記吸収性発泡体層の前記第１の面に接触するステップと、
前記キャスティングステップの実行前、実行中、または実行後に第３の吸収層を前記第２のバリア層の前記第１の面に接合させるステップと、
前記吸収性発泡体層と前記第２および第３の吸収層のそれぞれとが流体接触されるように前記２つのバリア層を破るステップと、
前記発泡体層を剥いで２枚の吸収性発泡体複合材を作製するステップと、を含む、方法。
【請求項５】
吸収性発泡体複合材を作製する方法であって、
第１の面および前記第１の面に向かい合う第２の面を有する吸収性発泡体層、
第１の面および前記第１の面に向かい合う第２の面を有し、前記第１の面が前記吸収性発泡体層の前記第２の面に接合されたバリア層、
前記バリア層の前記第２の面に接合された第２の吸収層、
前記吸収性発泡体層の前記第１の面に接合された第２のバリア層であって、第１の面および前記第１の面に向かい合う第２の面を有し、前記第２のバリア層の前記第２の面が前記吸収性発泡体層の前記第１の面と接触する第２のバリア層、および、
前記第２のバリア層の前記第１の面に接合された第３の吸収層、
を含み、前記発泡体層と前記第２および第３の吸水層のそれぞれとが流体接触されるように、前記２つのバリア層が破られている、中間複合材を得るステップと、
前記吸収性発泡体層を剥いで２枚の吸収性発泡体複合材を作製するステップと、を含む、方法。